(57)【特許請求の範囲】
【請求項１】
パケット基盤無線通信網のセル選択システムであって、
順方向ＢＣＣＨを放送するシステムであって、前記順方向ＢＣＣＨの任意のフレームは、複数のタイムスロットを含み、前記複数のタイムスロットのそれぞれは、ＦＣＣＨビットパターンとＳＣＨビットパターンとを有する、システムと、
前記順方向ＢＣＣＨの受信電力の測定と前記順方向ＢＣＣＨのデータビットの復調とを同時に行い、最大の受信電力を有する順方向ＢＣＣＨを検出し、前記検出された順方向ＢＣＣＨのデータビットの復調されたデータを利用してセルを選択する移動端末と
を含む、セル選択システム。
【請求項２】
パケット基盤無線通信網のシステムにおける移動端末のセル選択方法であって、
複数のセルの順方向ＢＣＣＨをモニタリングすることであって、前記順方向ＢＣＣＨの任意のフレームは、複数のタイムスロットを含み、前記複数のタイムスロットのそれぞれは、ＦＣＣＨビットパターンとＳＣＨビットパターンとを有する、ことと、
前記複数のセルの順方向ＢＣＣＨの受信電力の測定と前記順方向ＢＣＣＨのデータビットの復調とを同時に行うことと、
最大の受信電力を有する順方向ＢＣＣＨを検出し、前記検出された順方向ＢＣＣＨのデータビットの復調されたデータを利用してセルを選択することと
を包含する、セル選択方法。
【請求項３】
前記順方向ＢＣＣＨのデータビットは、ＦＣＣＨビットパターンとＳＣＨビットパターンとを有する、請求項２に記載のセル選択方法。
【請求項４】
前記測定と復調とを同時に行うことは、
前記受信電力が測定される該当タイムスロットからＦＣＣＨビットパターンとＳＣＨビットパターンとを検出して格納することと、
前記格納されたＦＣＣＨビットパターンとＳＣＨビットパターンとを別々に復調することと
を包含する、請求項２に記載のセル選択方法。
【請求項５】
パケット基盤無線通信網の順方向ＢＣＣＨであって、
前記順方向ＢＣＣＨは、複数のフレームを含み、前記複数のフレームのそれぞれは、複数のタイムスロットを含み、前記複数のタイムスロットのそれぞれは、ＦＣＣＨビットパターンとＳＣＨビットパターンとを有する、順方向ＢＣＣＨ。
【発明の詳細な説明】
【０００１】
【発明の属する技術分野】
本発明は、移動通信網に係るもので、詳しくは、パケット基盤無線通信網のセル選択システム及びその方法に関するものである。
【０００２】
【従来の技術】
一般に、ゼネラルパケット無線サービス（Ｇｅｎｅｒａｌ  Ｐａｃｋｅｔ  Ｒａｄｉｏ  Ｓｅｒｖｉｃｅ；ＧＰＲＳ）、グローバル・システム・フォー・モバイル・コミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ；ＧＳＭ）等のパケット基盤無線通信システムは、移動端末及びコンピュータ使用者達に高速データ伝送速度で持続的なインターネット接続を保障する。
【０００３】
パケット基盤無線通信システムにおけるチャンネル使用方法は、ＲＦ（Ｒａｄｉｏ  Ｆｒｅｑｕｅｎｃｙ）チャンネル、ＴＤＭＡ（Ｔｉｍｅ  Ｄｉｖｉｓｉｏｎ  Ｍｕｌｔｉｐｌｅ  Ａｃｃｅｓｓ）フレーム、タイムスロット等の物理チャンネル（ｐｈｙｓｉｃａｌ  ｃｈａｎｎｅｌ）に論理チャンネル（ｌｏｇｉｃａｌ  ｃｈａｎｎｅｌ）をマッピングして使用する。論理チャンネルの種類としては、トラフィックチャンネル（ｔｒａｆｆｉｃ  ｃｈａｎｎｅｌ；ＴＣＨ）、制御チャンネル等がある。前記トラフィックチャンネルは使用者データを伝送するためのチャンネルで、前記制御チャンネルは制御信号情報を送るチャンネルである。
【０００４】
前記制御チャンネル中の一つとして、放送制御チャンネル（ｂｒｏａｄｃａｓｔ  ｃｏｎｔｒｏｌ  ｃｈａｎｎｅｌ；ＢＣＣＨ）がある。前記ＢＣＣＨは、ポイントトゥマルチポイント（ｐｏｉｎｔ  ｔｏ  ｍｕｌｔｉ−ｐｏｉｎｔ）下方単方向チャンネル（ｆｏｒｗａｒｄ  ｓｉｎｇｌｅ  ｄｉｒｅｃｔｉｏｎ  ｃｈａｎｎｅｌ）として複数の移動端末に対する情報通知に使われる。全ての移動端末は、網接続前にＢＣＣＨを受信する義務がある。
【０００５】
パケット基盤無線通信システムにおける一般的に使われている順方向（ｆｏｒｗａｒｄ）ＢＣＣＨの構成においては、図３に示したように、各フレームから構成され、それらフレームは、八つのタイムスロットから構成される。ＢＣＣＨは、周波数訂正チャンネル（ｆｒｅｑｕｅｎｃｙ  ｃｏｒｒｅｃｔｉｏｎ  ｃｈａｎｎｅｌ；ＦＣＣＨ）フレーム及び同期チャンネル（ｓｙｎｃｈｒｏｎｉｚａｔｉｏｎ  ｃｈａｎｎｅｌ；ＳＣＨ）フレームを包含し、前記ＦＣＣＨフレーム及びＳＣＨフレームを相互隣接したフレームに置いている。
【０００６】
前記ＦＣＣＨフレーム及びＳＣＨフレームは、夫々第１タイムスロット（タイムスロット０）にＦＣＣＨビットパターン及びＳＣＨビットパターンを有し、使用されない残りの各タイムスロット（タイムスロット１〜７）には、ダミーバースト（ｄｕｍｍｙ  ｂｕｒｓｔ）という予め決められた（ｐｒｅ−ｄｅｔｅｒｍｉｎｅｄ）ビットパターンを有する。
【０００７】
このように使用されない各タイムスロットがＢＣＣＨの各フレームに存在するとしても、移動端末がＢＣＣＨチャンネルモニターリングから受信電力を測定する時、どんなタイムスロットを選択しても関係ないようにするために、ＢＣＣＨチャンネルの出力パワーは、タイムスロットに関係なく、恒常一定なパワーを維持する。
【０００８】
以下、このように構成された従来のＢＣＣＨを利用してセルを選択する方法に対し、説明する。
【０００９】
一般に、移動端末に電源が投入（ｐｏｗｅｒ  ｏｎ）されると、移動端末は、利用可能なセルを選択しなければならなく、以後、移動端末は、前記選択されたセルの周囲に存在する各セルを周期的又は連続的に探索して必要な場合（ハンドオーバー（ｈａｎｄｏｖｅｒ）を包含した場合）に新しいセルを再選択しなければならない。
【００１０】
図４は、従来のＢＣＣＨを利用したセル選択方法を示す。
【００１１】
初期にセルを選択するために、移動端末は、複数のセルのＢＣＣＨをモニターリングし（Ｓ１１）、該モニターリングされた複数のセルのＢＣＣＨの受信電力を測定（ｍｅａｓｕｒｅｍｅｎｔ）し、所定大きさ以上を有した受信電力の該当セルを検出する（Ｓ１３）。
【００１２】
次いで、移動端末は、前記検出された該当セルのＢＣＣＨを受信電力の大きさの順に再びモニターリングし（Ｓ１５）、該モニターリングされたＢＣＣＨからＦＣＣＨビットパターン及びＳＣＨビットパターンを復調する（Ｓ１７）。
【００１３】
移動端末は、前記検出された該当セル中、適合なセルからのＢＣＣＨのＳＣＨビットパターン復調から得られたタイミング情報としてシステム情報（ｓｙｓｔｅｍ  ｉｎｆｏｒｍａｔｉｏｎ；ＳＩ）を復元して前記適合なセルを選択する（Ｓ１９）。
【００１４】
このような動作は、セル再選択（ｃｅｌｌ  ｒｅｓｅｌｅｃｔｉｏｎ）の場合にも同様に遂行される。
【００１５】
移動端末が各セルのＢＣＣＨ電力を測定する瞬間は、該当セルからのＢＣＣＨのＦＣＣＨフレーム（或いはＳＣＨフレーム）中、正確に第１タイムスロット（タイムスロット０）にアクセスしたことを保障することができない。使用されない残りの各タイムスロット（タイムスロット１〜７）がアクセスされる確率が極めて高いためである。
【００１６】
従って、従来の移動端末のセル選択方法は、ＢＣＣＨの受信電力を測定した後、受信電力が大きい順に該当セルのＢＣＣＨを再びモニターリングしてＦＣＣＨビットパターンを有した第１タイムスロット及びＳＣＨビットパターンを有した第１タイムスロットを検出し、該検出された各第１タイムスロットを復調することがある。
【００１７】
【発明が解決しようとする課題】
然るに、このような従来の移動端末においては、ＢＣＣＨの受信電力を測定するため、又、ＢＣＣＨに包含されたＦＣＣＨビットパターン及びＳＣＨビットパターンを復調するために、同様なセルを重複モニターリングするため、セル同期時間が長引くことで、セル選択のための時間が長引くという不都合な点があった。
【００１８】
又、従来の移動端末においては、同様なセルのＢＣＣＨのモニターリングを重複するため、移動端末の処理負荷を加重させるという不都合な点があった。
【００１９】
本発明は、このような従来の課題に鑑みてなされたもので、順方向チャンネルの電力測定と復調とを同時に処理することで、順方向チャンネルのモニターリングの重複を除去してセル選択及び再選択時間を短縮し得るパケット基盤無線通信網のセル選択システム及びその方法を提供することを目的とする。
【００２０】
又、順方向ＢＣＣＨの電力測定とＢＣＣＨのＦＣＣＨビットパターンとＳＣＨビットパターンとの復調を同時に処理することで、セル選択時間を短縮させるためのパケット基盤無線通信網のセル選択システム及びその方法を提供することを目的とする。
【００２１】
又、ＦＣＣＨビットパターン及びＳＣＨビットパターンを有する各タイムスロットにより順方向ＢＣＣＨのフレームを構成することで、該当セルの順方向ＢＣＣＨのモニターリングを重複しなくてもセルを選択し得るパケット基盤無線通信網のセル選択システム及びその方法を提供することを目的とする。
【００２２】
【課題を解決するための手段】
本発明のパケット基盤無線通信網のセル選択システムは、順方向ＢＣＣＨを放送するシステムと、前記順方向ＢＣＣＨの受信電力測定と受信電力が測定されるデータビットの復調を同時に遂行してセルを選択する移動端末と、を包含して構成されたことを特徴とする。
【００２３】
前記順方向ＢＣＣＨは、該当フレームの各タイムスロットがＦＣＣＨビットパターン及びＳＣＨビットパターンを全て有することを特徴とする。
【００２４】
本発明のパケット基盤無線通信網のセル選択システムの順方向チャンネル復調方法は、順方向チャンネルをモニターリングする過程と、前記順方向チャンネルの受信電力測定とデータビット復調とを同時に遂行する過程と、を順次行うことを特徴とする。
【００２５】
前記順方向チャンネルのフレームの各タイムスロットは、全て前記データビットを有することを特徴とする。
【００２６】
前記同時に遂行する過程は、前記順方向チャンネルの受信電力を測定する過程と、受信電力が測定される前記順方向チャンネルの該当タイムスロットから前記データビットを検出して格納する過程と、該格納されたデータビットを復調する過程と、を順次行うことを特徴とする。
【００２７】
前記順方向チャンネルは、順方向ＢＣＣＨを包含し、前記データビットは、ＦＣＣＨビットパターン及びＳＣＨビットパターンを包含することを特徴とする。
【００２８】
本発明のパケット基盤無線通信網のセル選択方法は、各セルから順方向チャンネルを受信して受信電力を測定する過程と、該受信電力が測定される該当セルの順方向チャンネルからデータビットを抽出して復調する過程と、前記測定された受信電力の大きさを参照して最も電力が大きいセルを検出し、該検出されたセルに対して前記復調された情報に基づいてセル同期を遂行する過程と、を順次行うことを特徴とする。
【００２９】
前記順方向チャンネルは、順方向ＢＣＣＨを包含し、前記データビットは、ＦＣＣＨビットパターン及びＳＣＨビットパターンを包含することを特徴とする。
【００３０】
前記復調する過程は、前記受信電力が測定される該当タイムスロットからＦＣＣＨビットパターン及びＳＣＨビットパターンを検出して格納する過程と、該格納されたＦＣＣＨビットパターンとＳＣＨビットパターンとを区分して復調する過程と、を順次行うことを特徴とする。
【００３１】
本発明のパケット基盤無線通信網の順方向ＢＣＣＨは、フレームの各タイムスロットが、ＦＣＣＨビットパターンと共にＳＣＨビットパターンを全て有するように構成されたことを特徴とする。
【００３２】
このような目的を達成するため、本発明に係るパケット基盤無線通信網のセル選択システムにおいては、順方向ＢＣＣＨを放送するシステムと、前記順方向ＢＣＣＨの受信電力測定と受信電力が測定されるデータビットとの復調を同時に遂行してセルを選択する移動端末と、を包含して構成されることを特徴とする。
【００３３】
又、本発明に係るパケット基盤無線通信網のセル選択システムの順方向チャンネル復調方法においては、順方向チャンネルをモニターリングする過程と、前記順方向チャンネルの受信電力測定とデータビット復調とを同時に遂行する過程と、を順次行うことを特徴とする。
【００３４】
又、本発明に係るパケット基盤無線通信網のセル選択方法においては、各セルから順方向チャンネルを受信して受信電力を測定する過程と、該受信電力が測定される該当セルの順方向チャンネルからデータビットを抽出して復調する過程と、前記測定された受信電力の大きさを参照して最も電力が大きいセルを検出し、該検出されたセルに対して前記復調された情報に基づいてセル同期を遂行する過程、を順次行うことを特徴とする。
【００３５】
又、本発明に係るパケット基盤無線通信網の順方向ＢＣＣＨにおいては、フレームの各タイムスロットがＦＣＣＨビットパターンと共にＳＣＨビットパターンを全て有するように構成されたことを特徴とする。
【００３６】
【発明の実施の形態】
以下、本発明の実施の形態に対し、図面を用いて説明する。
【００３７】
本発明に係る順方向制御チャンネル一例にＢＣＣＨの構造においては、図１に示したように、順方向ＢＣＣＨは、ＦＣＣＨビットパターン及びＳＣＨビットパターンを一つのフレームに有する。即ち、順方向ＢＣＣＨのフレームは、八つの各タイムスロットから構成されるが、各タイムスロットは、ＦＣＣＨビットパターン及びＳＣＨビットパターンを全て有する。例えば、ＦＣＣＨビットパターンは、各’０’ビットから成り、ＳＣＨビットパターンは、情報ビットのみから成ることができる。
以下、このように構成される順方向ＢＣＣＨを利用して移動端末がセルを選択する動作に対し、説明する。
【００３８】
図２は、本発明に係る移動端末のセル選択方法を示す。
【００３９】
パケット基盤無線通信網のシステムは、前記図１に図示された順方向ＢＣＣＨを放送する。
【００４０】
パワーオンされた移動端末は、初期セル選択を遂行するために、複数のセルのＢＣＣＨをモニターリングする（Ｓ２１）。移動端末は、モニターリングされた複数のセルのＢＣＣＨの受信電力を測定すると同時に、受信電力が測定されるＢＣＣＨの特定のビットパターンの復調動作（すなわち、ＢＣＣＨのＦＣＣＨビットパターン及びＳＣＨビットパターンを格納して該格納されたＦＣＣＨビットパターンとＳＣＨビットパターンとを区分した後に復調する動作）を行なう（Ｓ２３）。
【００４１】
ここで、前記順方向ＢＣＣＨの該当フレームの第１タイムスロットだけでなく、全てのタイムスロットがＦＣＣＨビットパターン及びＳＣＨビットパターンを全て有しているため、どんなタイムスロットをアクセスしてもＦＣＣＨビットパターン及びＳＣＨビットパターンを得ることができる。
【００４２】
次いで、前記測定された受信電力の大きさを参照して受信電力が最も大きいセルを検出し、該セルのＢＣＣＨのＳＣＨビットパターンから復調されたタイミング情報を利用して該セルのＳＩを復元することで、ＳＩ復元時間を短縮することができる（Ｓ２５）。
【００４３】
このような動作は、セル再選択（ｃｅｌｌ  ｒｅｓｅｌｅｃｔｉｏｎ）の場合にも同様に遂行される。
【００４４】
このように本発明は、ＢＣＣＨのフレームにＦＣＣＨビットパターン及びＳＣＨビットパターンを全て包含させることで、ＢＣＣＨの受信電力を測定する時に該当ＦＣＣＨビットパターン及びＳＣＨビットパターンを復調することができる。
【００４５】
【発明の効果】
以上説明したように、本発明に係るパケット基盤無線通信網のセル選択システム及びその方法においては、順方向ＢＣＣＨのフレームの各タイムスロットがＦＣＣＨビットパターン及びＳＣＨビットパターンを全て有することで、移動端末がどんなタイムスロットをアクセスしても直ちにＦＣＣＨビットパターン及びＳＣＨビットパターンを検出し得るという効果がある。
【００４６】
又、本発明に係るパケット基盤無線通信網のセル選択システム及びその方法においては、移動端末が順方向ＢＣＣＨの任意のタイムスロットをアクセスしても直ちにＦＣＣＨビットパターン及びＳＣＨビットパターンを得ることができるため、各セルのＢＣＣＨの受信電力が測定されると同時に、その受信電力が測定されるタイムスロットからＦＣＣＨビットパターン及びＳＣＨビットパターンを得ることができて直ちに復調が可能であるため、受信電力測定後にＦＣＣＨビットパターン及びＳＣＨビットパターンを検出するために同一セルのＢＣＣＨを重複モニターリングする必要がないという効果がある。
【００４７】
又、本発明に係るパケット基盤無線通信網のセル選択システム及びその方法においては、順方向ＢＣＣＨの電力測定、ＢＣＣＨのＦＣＣＨビットパターン及びＳＣＨビットパターンの復調を同時に処理することで、移動端末が該当セルに迅速に同期化し得ることで、セル選択及び再選択時間を短縮し得るという効果がある。
【図面の簡単な説明】
【図１】本発明に係る順方向制御チャンネルの構造を示した図である。
【図２】本発明に係る移動端末のセル選択方法を示した図である。
【図３】一般的な順方向ＢＣＣＨの構成を示した図である。
【図４】従来のＢＣＣＨを利用したセル選択方法を示した図である。
【図１】
0004067093.tif 000002
【図２】
0004067093.tif 000003
【図３】
0004067093.tif 000004
【図４】
0004067093.tif 000005